(57)【要約】【課題】  操作感を悪化させることなくＡＦ機能を搭載することのできる携帯情報機器を提供する。【解決手段】  携帯電話１の本体部の前面には、カメラキー１０４、メールキー１０５、十字キー１０６、決定キー１０７、アドレスキー１０８、ネット接続キー１０９等が設けられている。ネット接続キー１０９は、外部のネットワーク接続用の操作キーである。しかし、カメラモードの状態においてネット接続キー１０９の操作が検出された場合には、「ＡＦロック」する。すなわち、ＡＦドライバを制御して撮像レンズを合焦させ、合焦した時点でＡＦドライバを停止させて撮像レンズを固定する。これにより、撮像レンズは合焦した状態に維持される。したがって、通信モードにおいては外部のネットワーク接続用の操作キーとして機能していたネット接続キー１０９は、カメラモードにおいてはＡＦロックさせるキーとして機能することとなる。【選択図】    図１
2005094065.tif 000002
【特許請求の範囲】
【請求項１】
外部と通信する通信手段と、被写体を撮影する撮影手段とを併有する携帯情報機器であって、
前記通信手段を制御するために設けられた通信用操作手段と、
前記通信手段を動作させる第１のモードと前記撮影手段を動作させる第２のモードとを選択的に設定するモード設定手段と、
このモード設定手段により前記第２のモードが設定されている場合、前記通信用操作手段の操作に応答して、前記撮影手段の合焦動作を制御する制御手段と
を有することを特徴とする携帯情報機器。
【請求項２】
前記制御手段は、前記撮影手段が有する光学系を駆動して合焦動作を制御するとともに、合焦後に前記光学系を固定する手段を含むことを特徴とする請求項１記載の携帯情報機器。
【請求項３】
前記制御手段は、合焦後に前記光学系を固定した後、前記通信用操作手段が再度操作された場合、これに応答して前記光学系の固定を解除する手段を含むことを特徴とする請求項２記載の携帯情報機器。
【請求項４】
前記制御手段は、
前記通信用操作手段が第１の操作態様で操作された場合、前記撮影手段が有する光学系を駆動して合焦動作を制御するとともに、合焦後に前記光学系を固定する第１の合焦制御手段と、
前記通信用操作手段が前記第１の操作態様とは異なる第２の操作態様で操作された場合、これに応答して前記光学系の固定を解除した後、再度前記光学系を駆動して合焦動作を制御して固定する第２の合焦制御手段と
を含むことを特徴とする請求項１記載の携帯情報機器。
【請求項５】
前記第２のモードにおける前記通信用操作手段の操作の有効又は無効を設定する設定手段を更に備え、
前記制御手段は、前記設定手段により通信用操作手段の操作が有効と設定されている場合に、前記各制御を実行することを特徴とする請求項１から４にいずれか記載の携帯情報機器。
【請求項６】
前記第２のモードにおける撮影条件を設定する撮影条件設定手段を更に備え、
前記制御手段は、前記撮影条件設定手段により設定された撮影条件において、前記各制御を実行することを特徴とする請求項１から５にいずれか記載の携帯情報機器。
【請求項７】
外部と通信する通信手段と、被写体を撮影する撮影手段とを併有するとともに、前記通信手段を制御するために通信用操作手段が設けられた携帯情報機器が有するコンピュータを、
前記通信手段を動作させる第１のモードと前記撮影手段を動作させる第２のモードとを選択的に設定するモード設定手段と、
このモード設定手段により前記第２のモードが設定されている場合、前記通信用操作手段の操作に応答して、前記撮影手段の合焦動作を制御する制御手段と
して機能させることを特徴とする操作機能制御プログラム。
【発明の詳細な説明】
【技術分野】
【０００１】
本発明は、カメラ付き携帯電話等、通信機能と撮影機能とを併有する携帯情報機器に関する。
【背景技術】
【０００２】
近年、例えば携帯電話等の携帯情報機器においては、電話やネットワーク接続等の通信機能と、デジタルカメラ機能とを併有するものが出現するに至っている。携帯情報機器においては、操作性の観点からキーのサイズを極度に小さくすることは好ましくなく、キーのサイズの下限には自ずと限界がある。その一方で、携帯性の観点からは装置本体のサイズを小さくすることが要求されることから、機器に配置可能なキーの数も自ずと制限される。そこで、テンキー等の特定のキーに複数の機能を割り付け、設定モードの切り替えにより当該キーの機能を変化させることが考えられている（例えば、特許文献１参照。）。      
【特許文献１】特開２００３−６７１２０号公報
【発明の開示】
【発明が解決しようとする課題】
【０００３】
ところで、デジタルカメラにおいては、シャッターが半押しされると、ＡＦ（Auto Focus）ドライバを制御して撮像レンズを合焦させ、合焦した時点で撮像レンズを固定する、いわゆる「ＡＦロック」を実行し、シャッターが全押しされると画像を取り込んで撮影を行う「ＡＦ機能」を有するものがある。そして、通信機能とデジタルカメラ機能とを併有する携帯情報機器においても、上記「ＡＦ機能」の搭載が望まれている。
【０００４】
しかしながら、上記カメラ付き携帯電話の場合、デジタルカメラ機能は付加的なものであることから、その他のアプリケーションソフトと同様に決定キーの操作検出をシャッターキーの操作検出に置き換えるケースが一般的であり、半押し／全押しを判断するシャッター操作検出用のキー構造を新たに備えることはユーザの操作感が悪化してしまうという問題点が予想されている。
【０００５】
本発明は、このような従来の課題に鑑みてなされたものであり、操作感を悪化させることなくＡＦ機能を搭載することのできる携帯情報機器及び操作機能制御プログラムを提供することを目的とするものである。
【課題を解決するための手段】
【０００６】
前記課題を解決するために請求項１記載の発明に係る携帯情報機器にあっては、外部と通信する通信手段と、被写体を撮影する撮影手段とを併有する携帯情報機器であって、前記通信手段を制御するために設けられた通信用操作手段と、前記通信手段を動作させる第１のモードと前記撮影手段を動作させる第２のモードとを選択的に設定するモード設定手段と、このモード設定手段により前記第２のモードが設定されている場合、前記通信用操作手段の操作に応答して、前記撮影手段の合焦動作を制御する制御手段とを有する。
【０００７】
すなわち、通信手段と撮影手段とを併有する携帯情報機器においては、通信手段を動作させる機会の方が撮影手段を動作させる機会よりも遙かに多い。したがって、通信手段を制御するために設けられた通信用操作手段に対する操作頻度は高いことから、通信用操作手は一般に親指操作が容易な箇所に配置され、かつ、操作頻度が高いことによりユーザはその操作に違和感なく慣れる。そこで、本発明においてはこの点に着目し、第２のモードが設定されている場合、通信用操作手段の操作に応答して、撮影手段の合焦動作を制御する。したがって、撮影手段の合焦動作を制御する際には、一般に親指操作が容易な箇所に配置され、かつ、ユーザがその操作に違和感なく慣れている通信用操作手段を操作すればよい。これにより操作感を悪化させることなく、携帯情報機器にＡＦ機能を搭載することができる。
【０００８】
また、請求項２記載の発明に係る携帯情報機器にあっては、前記制御手段は、前記撮影手段が有する光学系を駆動して合焦動作を制御するとともに、合焦後に前記光学系を固定する手段を含む。したがって、ＡＦ機能を備えたカメラに設けられているシャッターキーを半押しする操作に代わって、通信用操作手段を操作することにより、同様にオートフォーカスロック制御が実行される。
【０００９】
また、請求項３記載の発明に係る携帯情報機器にあっては、前記制御手段は、合焦後に前記光学系を固定した後、前記通信用操作手段が再度操作された場合、これに応答して前記光学系の固定を解除する手段を含む。したがって、前記通信用操作手段にオートフォーカスロック制御機能とフォーカスロック解除とを付与することができる。
【００１０】
また、請求項４記載の発明に係る携帯情報機器にあっては、前記制御手段は、前記通信用操作手段が第１の操作態様で操作された場合、前記撮影手段が有する光学系を駆動して合焦動作を制御するとともに、合焦後に前記光学系を固定する第１の合焦制御手段と、前記通信用操作手段が前記第１の操作態様とは異なる第２の操作態様で操作された場合、これに応答して前記光学系の固定を解除した後、再度前記光学系を駆動して合焦動作を制御して固定する第２の合焦制御手段とを含む。したがって、通信用操作手段に対する最初の操作によりオートフォーカスロック制御を行った後、再度の操作により再度のオートフォーカスロック制御を行うことができる。
【００１１】
また、請求項５記載の発明に係る携帯情報機器にあっては、前記第２のモードにおける前記通信用操作手段の操作の有効又は無効を設定する設定手段を更に備え、前記制御手段は、前記設定手段により通信用操作手段の操作が有効と設定されている場合に、前記各制御を実行する。したがって、カメラモードにおいて前述した通信用操作手段の操作に応じた制御を実行させるか否かをユーザが自由に選択することができる。
【００１２】
また、請求項６記載の発明に係る携帯情報機器にあっては、前記第２のモードにおける撮影条件を設定する撮影条件設定手段を更に備え、前記制御手段は、前記撮影条件設定手段により設定された撮影条件において、前記各制御を実行する。したがって、第２のモードにおいて設定された撮影条件において、オートフォーカスロック制御等を行うことができる。
【００１３】
また、請求項７記載の発明係る操作機能制御プログラムにあっては、外部と通信する通信手段と、被写体を撮影する撮影手段とを併有するとともに、前記通信手段を制御するために通信用操作手段が設けられた携帯情報機器が有するコンピュータを、前記通信手段を動作させる第１のモードと前記撮影手段を動作させる第２のモードとを選択的に設定するモード設定手段と、このモード設定手段により前記第２のモードが設定されている場合、前記通信用操作手段の操作に応答して、前記撮影手段の合焦動作を制御する制御手段として機能させる。したがって、前記コンピュータがこのプログラムに従って処理を実行することにより、請求項１記載の発明と同様の作用効果を奏する。
【発明の効果】
【００１４】
以上説明したように請求項１及び７記載の発明によれば、通信手段と撮影手段とを併有する携帯情報機器においては、通信手段を動作させる機会の方が撮影手段を動作させる機会よりも遙かに多く、通信手段を制御するために設けられた通信用操作手段に対する操作頻度は高いことから、通信用操作手は一般に親指操作が容易な箇所に配置され、かつ、操作頻度が高いことによりユーザはその操作に違和感なく慣れることができる。したがって、撮影手段の合焦動作を制御する際には、一般に親指操作が容易な箇所に配置され、かつ、ユーザがその操作に違和感なく慣れている通信用操作手段を操作すればよいく、これにより操作感を悪化させることなく、携帯情報機器にＡＦ機能を搭載することができる。
【発明を実施するための最良の形態】
【００１５】
以下、本発明を携帯電話に適用した実施の形態を図に従って説明する。
【００１６】
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１７】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。
【００１８】
また、カメラキー１０４は、着信待受け状態からカメラモード（第２のモード）への移行時及び撮像部の起動させる際に操作されるとともに、カメラ−ムービー切替に使用される。  メールキー１０５は、メールモード移行時及びメールプログラムロード時に操作されるキーである。十字キー１０６は、カーソル移動時に操作され、カメラモード時には、左右方向は露出補正、上下方向はズーム調整として機能する。決定キー１０７は各種モードの決定時に操作され、カメラモード時にはシャッターキーとして機能する。
【００１９】
アドレスキー１０８は、アドレス帳データを表示する際に操作されるキーである。ネット接続キー１０９は、外部のネットワーク接続用の操作キーであるとともに、カメラモードの状態においては後述するようにＡＦ（Auto Focus）ロックさせる際、あるいはＡＦロックを解除する際等に操作されるキーとなる。クリアキー１１０は、キャンセル指示用のキーであり、テンキー１１３は、文字入力及びダイアル入力用として使用される。
マイク１１４は、本体部の下部に設けられており、通話時において音声入力を行う。
【００２０】
また、蓋部の背面には、録音用マイク１１５、カラー液晶からなるサブ表示部１１６、着信の際、発光する報知用ＬＥＤ１１７、光学系としての撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００２１】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３で構成される。
【００２２】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラムを含むカメラアプリケーションを記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００２３】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により絞り１３２を介して被写体像が結像されるＣＣＤ等からなり、ＤＳＰ１２９は、この撮像デバイス１３０からの画像信号をデジタル信号化処理するものである。また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００２４】
図３は、プログラムＲＯＭ１２５のメモリエリアの構成を示す概念図である。プログラムＲＯＭ１２５は、ソフトウェアプログラム格納領域１２５１及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。
【００２５】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮影された画像の画像ファイルを格納する。その他のワーク領域１２４４は、ワークメモリとして各種データ格納する。
【００２６】
次に、以上の構成に係る携帯電話１の動作について説明する。着信待受け状態においては、この携帯電話１は一般的な携帯電話と同様に機能する。つまり、前述のように、メールキー１０５は、メールモード移行時及びメールプログラムロード時に操作されるキーとして機能し、アドレスキー１０８は、アドレス帳データを表示する際に操作されるキーとして機能し、ネット接続キー１０９は、外部のネットワーク接続用の操作キーとして機能する。
【００２７】
そして、ユーザが携帯電話１をカメラとして使用すべく、カメラキー１０４をワンタッチ操作すると、制御部１２２は、このカメラキー１０４の操作に応答してカメラモードに移行し、ソフトウェアプログラム格納領域１２５１に記憶されるカメラアプリケーションをロードする。また、このカメラモードへの移行に伴って、制御部１２２は、オートフォーカス（以下「ＡＦ」と称する）で撮像レンズ１１８により撮像デバイス１３０上に結像された被写体像をメイン表示部１０２にモニター表示させる。そして、メイン表示部１０２に被写体像を表示させつつ、プログラムＲＯＭ１２５に格納されているプログラムに基づき、図５のフローチャートに示すように処理を実行する。
【００２８】
まず、ネット接続キー１０９の操作が検出されたか否かを判断する（ステップＳ１０１）。ネット接続キー１０９の操作が検出されなかった場合には、更に決定キー１０７が操作されたか否かを判断する（ステップＳ１０２）。そして、カメラモードにおいて、ネット接続キー１０９が操作されずに決定キー１０７が操作された場合には、その状態で撮影を行う（ステップＳ１０３）。
【００２９】
つまり、決定キー１０７が押下されると撮像レンズ１１８により撮像デバイス１３０上に結像されている被写体の画像を取り込む。更に、ＤＳＰ１２９を制御してデジタル信号化処理を施し、更にカメラアプリケーションにて圧縮符号化処理して画像ファイルを生成し、撮影日時をファイル名として、この画像ファイルを画像メモリ１２４３に記憶させる。
【００３０】
他方、ステップＳ１０１での判断の結果、カメラモードにおいて右手でこの携帯電話１を握持しているユーザが該右手の親指でネット接続キー１０９を操作し、これが検出されると（ステップＳ１０１；ＹＥＳ）、ＡＦドライバ１３１を制御して、フォーカスエリア内にある被写体に撮像レンズ１１８を合焦させ、合焦した時点で撮像レンズ１１８を固定する「ＡＦロック」を実行する（ステップＳ１０４）。これにより、撮像レンズ１１８は合焦した状態に維持される。そして、決定キー１０７の操作が検出されたか否かを判断する（ステップＳ１０５）。決定キー１０７の操作が検出されない場合には、再度ネット接続キー１０９の操作が検出された否かを判断し（ステップＳ１０６）、何れかのキー１０７、１０９の操作が検出されるまで、ステップＳ１０５→Ｓ１０６→Ｓ１０５のループを繰り返して、「ＡＦロック」状態を継続する。そして、再度ネット接続キー１０９の操作が検出された場合には（ステップＳ１０６；ＹＥＳ）、上記の「ＡＦロック」を解除して（ステップＳ１０７）、ステップＳ１０１からの処理を再度実行する。したがって、カメラモードにおいてネット接続キー１０９を操作して「ＡＦロック」の状態にしても、再度ネット接続キー１０９を操作することにより、これを解除させフォーカスリリースの状態に戻すことができる。
【００３１】
したがって、外部のネットワーク接続用の操作キーとして機能していたネット接続キー１０９は、カメラモードにおいては「ＡＦロック」の設定／解除のためのキーとして機能することとなる。
【００３２】
また、ステップＳ１０４の処理により「ＡＦロック」の状態で、決定キー１０７の操作が検出された場合には（ステップＳ１０５；ＹＥＳ）、撮影処理を実行する（ステップＳ１０８）。すなわち、前述と同様に、撮像レンズ１１８により撮像デバイス１３０上に結像されている被写体の画像を取り込み、画像ファイルを生成し、撮影日時をファイル名として、画像ファイルを画像メモリ１２４３に記憶させる。このとき、予め実行されたステップＳ１０４での処理より、撮像レンズ１１８は合焦位置に固定されていることから、ピントの合った画像の画像ファイルを画像メモリ１２４３に記憶させることができる。
【００３３】
（第２の実施の形態）
図６は、本発明の第２の実施の形態における処理手順を示すフローチャートである。前述したように、カメラモードへの移行に伴って、制御部１２２は、ＡＦで撮像レンズ１１８により撮像デバイス１３０上に結像された被写体像をメイン表示部１０２にモニター表示させる。そして、メイン表示部１０２に被写体像を表示させつつ、プログラムＲＯＭ１２５に格納されているプログラムに基づき、図６のフローチャートに示すように処理を実行する。
【００３４】
まず、ネット接続キー１０９の短押し操作（第１の操作態様）が検出されたか否かを判断する（ステップＳ２０１）。ここで、短押し操作とは、後述するステップＳ２０５の長押し操作（第２の操作態様）よりも短い所定時間ネット接続キー１０９が押下されたことを意味する。ネット接続キー１０９の短押し操作が検出されなかった場合には、更に決定キー１０７が操作されたか否かを判断する（ステップＳ２０２）。そして、カメラモードにおいて、ネット接続キー１０９が短押し操作されずに、決定キー１０７が操作された場合には、前述のステップＳ１０３と同様に撮影を行う（ステップＳ２０３）。
【００３５】
他方、ステップＳ２０１での判断の結果、カメラモードにおいてネット接続キー１０９の短押し操作が検出された場合には（ステップＳ２０１；ＹＥＳ）、「ＡＦロック」を行う（ステップＳ２０４）。すなわち、ＡＦドライバ１３１を制御して、フォーカスエリア内にある被写体に撮像レンズ１１８を合焦させ、合焦した時点でＡＦドライバ１３１を停止させて撮像レンズ１１８を固定する。これにより、撮像レンズ１１８は合焦した状態に維持される。
【００３６】
しかる後に、ネット接続キー１０９の長押し操作が検出されたか否かを判断する（ステップＳ２０５）。ネット接続キー１０９の長押し操作が検出されない場合には、決定キー１０７の操作が検出されたか否かを判断する（ステップＳ２０７）。決定キー１０７の操作が検出されない場合には、再度ネット接続キー１０９の短押し操作が検出された否かを判断し（ステップＳ２０８）、ネット接続キー１０９の長押し又短押し、若しくは決定キー１０７の操作が検出されるまで、ステップＳ２０５→Ｓ２０７→Ｓ２０８→Ｓ２０５のループを繰り返して、「ＡＦロック」状態を継続する。
【００３７】
この状態において、ネット接続キー１０９の長押しが検出されると（ステップＳ２０５；ＹＥＳ）、その時点でフォーカスエリア内にある被写体に対して再度フォーカスを引き込み、「ＡＦロック」を行う（ステップＳ２０６）。すなわち、ネット接続キー１０９が長押し操作された場合には、ステップＳ２０４で「ＡＦロック」させた状態から、ＡＦ動作を再開してＡＦドライバ１３１を制御し撮像レンズ１１８を合焦させ、合焦した時点でＡＦドライバ１３１を停止させて撮像レンズ１１８を固定する。したがって、本実施の形態においては、ネット接続キー１０９を長押し操作することにより、ＡＦを解除せずに再度ＡＦ動作させて、更にピント調整を行うことができる。
【００３８】
しかし、ネット接続キー１０９の短押し操作が検出された場合には（ステップＳ２０８；ＹＥＳ）、「ＡＦロック」を解除して（ステップＳ２０９）、ステップＳ２０１からの処理を再度実行する。したがって、カメラモードにおいてネット接続キー１０９を短押し操作して「ＡＦロック」状態にした後、再度ネット接続キー１０９を短押し操作することにより、「ＡＦロック」を解除してフォーカスリリースの状態に戻すことができる。
【００３９】
したがって、通信モードにおいては外部のネットワーク接続用の操作キーとして機能していたネット接続キー１０９は、カメラモードにおいては「ＡＦロック」の設定、ＡＦ再起動、更には「ＡＦロック」の解除キーとして機能することとなる。
【００４０】
また、ステップＳ２０４の処理により「ＡＦロック」にある状態で、あるいはステップＳ２０６での処理のより再度ＡＦがなされた後、決定キー１０７の操作が検出された場合には（ステップＳ２０７；ＹＥＳ）、撮影処理を実行する（ステップＳ２１０）。すなわち、撮像レンズ１１８により撮像デバイス１３０上に結像されている被写体の画像を取り込み、画像ファイルを生成し、撮影日時をファイル名として、画像ファイルを画像メモリ１２４３に記憶させる。このとき、予め実行されたステップＳ２０４あるいはステップＳ２０６での処理より、撮像レンズ１１８は合焦位置に固定されていることから、ピントの合った画像の画像ファイルを画像メモリ１２４３に記憶させることができる。
【００４１】
（第３の実施の形態）
図７は、本発明の第３の実施の形態における処理手順を示すフローチャートである。前述したように、カメラモードへの移行に伴って、制御部１２２は、ＡＦで撮像レンズ１１８により撮像デバイス１３０上に結像された被写体像をメイン表示部１０２にモニター表示させる。そして、メイン表示部１０２に被写体像を表示させつつ、プログラムＲＯＭ１２５に格納されているプログラムに基づき、図７のフローチャートに示すように処理を実行する。
【００４２】
まず、このカメラモードにおいてネット接続キー１０９の操作を有効とする設定が予めなされている否かを判断する（ステップＳ３０１）。このネット接続キー１０９の操作を有効するための設定は、いずかのキー例えばメールキー１０５が操作されることにより設定されるものとしてもよいし、メイン表示部１０２にメニュー画面を表示して、メニュー画面から選択することにより、設定されるものとしてもよい。
【００４３】
そして、ネット接続キー１０９の操作を有効するための設定がなされていない場合には（ステップＳ３０１；ＮＯ）、パンフォーカス（常焦点）を設定する（ステップＳ３０２）。これにより、ＡＦドライバ１３１は撮像レンズ１１８を駆動して、該撮像レンズ１１８を光軸上の所定パンフォーカス位置に固定する。引き続き、決定キー１０７の操作が検出されたか否かを判断し（ステップＳ３０２）、検出された場合に撮影処理を実行する。したがって、ネット接続キー１０９の操作が無効にされている場合には、パンフォーカスで撮影がなされることとなる。他方、ネット接続キー１０９の操作が有効とされている場合には（ステップＳ３０１；ＹＥＳ）、ステップＳ３０５〜ステップＳ３１４において、前述した第２の実施の形態で説明したステップＳ２０１〜ステップＳ２１０と同様の処理を実行する。
【００４４】
したがって、本実施の形態においては、ネット接続キー１０９の操作を無効としておくことにより、簡易なパンフォーカスで撮影を行うことができ、また、有効としておくことにより、前述の第２の実施の形態で説明したようにＡＦ動作させつつ、撮影を行うことができる。
【００４５】
（第４の実施の形態）
図８〜１０は、本発明の第４の実施の形態における処理手順を示すフローチャートである。前述したように、カメラモードへの移行に伴って、制御部１２２は、ＡＦで撮像レンズ１１８により撮像デバイス１３０上に結像された被写体像をメイン表示部１０２にモニター表示させる。そして、メイン表示部１０２に被写体像を表示させつつ、プログラムＲＯＭ１２５に格納されているプログラムに基づき、図８のフローチャートに示すように処理を実行する。
【００４６】
まず、このカメラモードにおいて、マクロモードと通常モードのいずれが設定されているかを判断する。（ステップＳ４０１）。マクロモードと通常モードとの切り替えは、デフォルトでは通常モードで、いずかのキー例えばアドレスキー１０８が操作される都度、モードが切り替わるものとしてもよいし、メイン表示部１０２にメニュー画面を表示して、メニュー画面から選択することにより、設定されるものとしてもよい。そして、通常モードが設定されている場合には通常時処理を実行し（ステップＳ４０２）、マクロモードが設定されている場合にはマクロ時処理を実行する（ステップＳ４０３）。
【００４７】
通常時処理（ステップＳ４０２）は、図９に示すフローチャートに従って実行される。すなわち、ネット接続キー１０９の短押し操作が検出されたか否かを判断する（ステップＳ５０１）。ネット接続キー１０９の短押し操作が検出されなかった場合には、更に決定キー１０７が操作されたか否かを判断する（ステップＳ５０２）。そして、通常モードにおいてネット接続キー１０９が短押し操作されずに、決定キー１０７が操作された場合には、前述のステップＳ１０３と同様に、通常範囲で撮影を行う（ステップＳ５０３）。
【００４８】
他方、ステップＳ５０１での判断の結果、通常モードにおいてネット接続キー１０９の短押し操作が検出された場合には（ステップＳ５０１；ＹＥＳ）、通常範囲で引き込み処理を行い「ＡＦロック」を行う（ステップＳ５０４）。すなわち、ＡＦドライバ１３１を制御して撮像レンズ１１８により通常範囲のフォーカスエリア内に存在する被写体に合焦させ、合焦した時点でＡＦドライバ１３１を停止させて撮像レンズ１１８を固定する。これにより、撮像レンズ１１８は通常範囲の画像を合焦した状態に維持される。
【００４９】
しかる後に、ネット接続キー１０９の長押し操作が検出されたか否かを判断する（ステップＳ５０５）。ネット接続キー１０９の長押し操作が検出されない場合には、決定キー１０７の操作が検出されたか否かを判断する（ステップＳ５０７）。決定キー１０７の操作が検出されない場合には、再度ネット接続キー１０９の短押し操作が検出された否かを判断し（ステップＳ５０５）、ネット接続キー１０９の長押し又短押し、若しくは決定キー１０７の操作が検出されるまで、ステップＳ５０５→Ｓ５０７→Ｓ５０８→Ｓ５０５のループを繰り返して、「ＡＦロック」状態を継続する。
【００５０】
ネット接続キー１０９の長押しが検出されると（ステップＳ５０５；ＹＥＳ）、その時点で通常範囲のフォーカスエリア内にある被写体に対して再度フォーカスを引き込み、「ＡＦロック」を行う（ステップＳ５０６）。すなわち、ネット接続キー１０９が長押し操作された場合には、ステップＳ５０４で「ＡＦロック」させた状態から、ＡＦドライバ１３１を制御して、通常範囲のフォーカスエリア内にある被写体に撮像レンズ１１８を合焦させ、合焦した時点でＡＦドライバ１３１を停止させて撮像レンズ１１８を固定する。したがって、本実施の形態においても、ネット接続キー１０９を長押し操作することにより、ＡＦを解除せずにＡＦ動作させて、更に通常範囲内の画像のピント調整を行うことができる。
【００５１】
しかし、再度ネット接続キー１０９の短押し操作が検出された場合には（ステップＳ５０８；ＹＥＳ）、「ＡＦロック」を解除して（ステップＳ５０９）、ステップＳ５０１からの処理を再度実行する。したがって、通常モードにおいてネット接続キー１０９を短押し操作して「ＡＦロック」状態にした後、ネット接続キー１０９を長押し操作することにより、ＡＦ解除せずに再度ＡＦ動作させることができ、更に再度ネット接続キー１０９を操作することにより、「ＡＦロック」を解除してフォーカスリリースの状態に戻すこともできる。
【００５２】
したがって、通信モードにおいては外部のネットワーク接続用の操作キーとして機能していたネット接続キー１０９は、カメラモードにおいては「ＡＦロック」、ＡＦ再起動、更には「ＡＦロック」の解除キーとして機能することとなる。
【００５３】
また、ステップＳ５０４の処理により「ＡＦロック」にある状態で、あるいはステップＳ５０６での処理のより再度ＡＦがなされた後、決定キー１０７の操作が検出された場合には（ステップＳ５０７；ＹＥＳ）、撮影処理を実行する（ステップＳ５１０）。すなわち、撮像レンズ１１８により撮像デバイス１３０上に結像されている被写体の画像を取り込み、画像ファイルを生成し、撮影日時をファイル名として、画像ファイルを画像メモリ１２４３に記憶させる。このとき、予め実行されたステップＳ５０４あるいはステップＳ５０６での処理より、撮像レンズ１１８は合焦位置に固定されていることから、ピントの合った通常範囲からなる画像の画像ファイルを画像メモリ１２４３に記憶させることができる。
【００５４】
一方、前記マクロ時処理（ステップＳ４０３）は、図１０に示すフローチャートに従って実行される。このフローチャートのステップＳ６０１〜Ｓ６１０の処理は、前述した図９のステップＳ５０１〜Ｓ５１０の処理とほぼ同様であるが、ステップＳ６０３において撮影を行う際には、前述のステップＳ５０３とは異なり、マクロ撮影で行う（ステップＳ６０３）。
【００５５】
一方、ステップＳ６０４で「ＡＦロック」を行う際にも前述のステップＳ５０４とは異なり、引き込み範囲をマクロ撮影用のフォーカスエリア内で行い、同様に、ステップＳ６０６においても、その時点でマクロ撮影用のフォーカスエリア内にある被写体に対して再度フォーカスを引き込み、「ＡＦロック」を行う。
【００５６】
そして、ステップＳ６０４の処理により「ＡＦロック」にある状態で、あるいはステップＳ６０６での処理により再度「ＡＦロック」がなされた後、決定キー１０７の操作が検出された場合には（ステップＳ６０７；ＹＥＳ）、撮影処理を実行する（ステップＳ５１０）。このとき、予め実行されたステップＳ６０４あるいはステップＳ６０６での処理より、撮像レンズ１１８は合焦位置に固定されていることから、ピントの合ったマクロ範囲からなる画像の画像ファイルを画像メモリ１２４３に記憶させることができる。
【００５７】
なお、本実施の形態においては、本発明を携帯電話に適用した場合を示したが、これに限ることなく、ＰＤＡ、デジタルカメラ、携帯型ゲーム機等通信機能と撮影機能とを併有するの比較的小型の他の機器に適用し得ることは勿論である。
【図面の簡単な説明】
【００５８】
【図１】（ａ）は本実施の形態における携帯電話の正面図、（ｂ）は背面図である。
【図２】携帯電話の構成を示すブロック図である。
【図３】プログラムＲＯＭのメモリエリアの構成を示す概念図である。
【図４】ＲＡＭのメモリエリアの構成を示す概念図である。
【図５】本発明の第１の実施の形態における処理手順を示すフローチャートである。
【図６】本発明の第２の実施の形態における処理手順を示すフローチャートである。
【図７】本発明の第３の実施の形態における処理手順を示すフローチャートである。
【図８】本発明の第４の実施の形態における処理手順を示すフローチャートである。
【図９】図８における通常時処理の処理手順を示すフローチャートである。
【図１０】図８におけるマクロ時処理の処理手順を示すフローチャートである。
【符号の説明】
【００５９】
１    携帯電話
１０２    メイン表示部
１０４    カメラキー
１０５    メールキー
１０６    十字キー
１０７    決定キー
１０８    アドレスキー
１０９    ネット接続キー（通信用操作手段）
１１０    クリアキー
１１１    オンフックキー
１１２    オフフックキー
１１３    テンキー
１１７    報知用ＬＥＤ
１１８    撮像レンズ（光学系）
１２１    無線部
１２２    制御部（制御手段）
１２４    ＲＡＭ
１２５    プログラムＲＯＭ
１２８    表示モジュール系ドライバ
１２９    ＤＳＰ
１３０    撮像デバイス
１２２１    通信データ処理部
１２２２    システムＲＯＭ
１２４１    アドレス帳記憶領域
１２４２    メールデータ記憶領域
１２４３    画像メモリ
１２４４    ワーク領域
【図１】
2005094065.tif 000003
【図２】
2005094065.tif 000004
【図３】
2005094065.tif 000005
【図４】
2005094065.tif 000006
【図５】
2005094065.tif 000007
【図６】
2005094065.tif 000008
【図７】
2005094065.tif 000009
【図８】
2005094065.tif 000010
【図９】
2005094065.tif 000011
【図１０】
2005094065.tif 000012
【手続補正書】
【提出日】平成15年10月27日(2003.10.27)
【手続補正１】
【補正対象書類名】図面
【補正対象項目名】図３
【補正方法】変更
【補正の内容】
【図３】
2005094065.tif 000013